(57)【要約】【課題】室内で飼育されている動物が容易にかつ安全に室外の環境を享受することができるようにする。【解決手段】  住戸の外壁面に隣接して設けられる動物飼育空間構成体であって、一端部が開口されている中空筒状に形成された第１の構造体と、前記第１の構造体の前記一端部に、前記第１の構造体の長手方向と交差するように設けられた第２の構造体であって、当該第２の構造体の内部は前記第１の構造体の前記一端部を介して前記第１の構造体の内部と連通している第２の構造体と、前記第１の構造体の内部と前記住戸の室内空間とを連通させるべく前記第１の構造体に設けられている連通部とを備えている。【選択図】図１
2018161094.tif 000002
【特許請求の範囲】
【請求項１】
住戸の外壁面に隣接して設けられる動物飼育空間構成体であって、
一端部が開口されている中空筒状に形成された第１の構造体と、
前記第１の構造体の前記一端部に、前記第１の構造体の長手方向と交差するように設けられた第２の構造体であって、当該第２の構造体の内部は前記第１の構造体の前記一端部を介して前記第１の構造体の内部と連通している第２の構造体と、
前記第１の構造体の内部と前記住戸の室内空間とを連通させるべく前記第１の構造体に設けられている連通部と、
を備えている動物飼育空間構成体
【請求項２】
請求項１に記載の動物飼育空間構成体であって、
前記第１の構造体の少なくとも一部、又は前記第２の構造体の少なくとも一部が光透過性を有する材料で形成されている、動物飼育空間構成体。
【請求項３】
請求項１に記載の動物飼育空間構成体であって、
少なくとも前記第２の構造体の底部に内外を連通させる孔が設けられている、動物飼育空間構成体。
【請求項４】
請求項１に記載の動物飼育空間構成体であって、
前記動物飼育空間構成体が、住戸のベランダの天井面から吊り下げ可能に構成されている、動物飼育空間構成体。
【請求項５】
請求項１ないし４のいずれか１項に記載の動物飼育空間構成体であって、
前記動物飼育空間構成体に、外部空間から当該動物飼育空間構成体の内部空間にアクセス可能とする開閉部が設けられている、動物飼育空間構成体。
【請求項６】
住戸の外壁面に隣接して設けられる動物飼育空間構成体であって、
略Ｔ字状の平面形状を有する内部空間を画成する構造体と、
前記内部空間と前記住戸の室内空間とを連通させる連通部と、
を備えている動物飼育空間構成体。
【発明の詳細な説明】
【技術分野】
【０００１】
本発明は、動物飼育空間構成体に関する。
【背景技術】
【０００２】
犬、猫等の動物をペットとして飼育する世帯が増えている。戸建て住宅の場合には、庭に飼育小屋を置いて飼ったり、屋内で飼って戸外へは出入り自由としたりすることが多い。一方、いわゆるマンション等の集合住宅では、動物の飼育が認められている場合、原則として室内で飼育し、犬などは飼い主が適時に散歩に連れ出したりすることとなる。
【０００３】
しかし、特に猫を集合住宅で飼育する場合は、戸建て住宅の場合とは異なり、戸外の共用部分と出入り自由とすることはできず、室内飼育となる。そのため、戸外へ出られない猫にとってはストレスとなり得る。このためいわゆるキャットツリーのような猫のための室内遊具が種々提案されているが、戸外に出られないストレスは完全には解消されない。戸外に出られるようにする代わりに、ベランダやバルコニーに出られるようにすることも考えられるが、特に高層階の場合には、猫が誤って転落するおそれもあり、簡単には実現できない問題がある。
【０００４】
この点で、例えば特許文献１には、常時は遮断されているがペットが自身の力で出入りができる小扉を備えたペット用の出入り口をドアよりも高い位置に設け、前記小扉の室内側にはペットが前記出入り口を利用して出入りする際の待機部を設けたことを特徴とするペット用の出入り口を備えた建物が開示されている。前記出入り口は二つ又は三つ以上の室内空間にそれぞれ設けられ、前記出入り口は連絡通路により連設されていてもよいとしている。
【先行技術文献】
【特許文献】
【０００５】
【特許文献１】特開２００３−３３６４６３号公報
【発明の概要】
【発明が解決しようとする課題】
【０００６】
しかしながら、特許文献１に例示されている建物では、ペット用の出入り口を設けただけでは前記のペットの安全問題が解決できず、複数の出入り口の間に連絡通路を設けるのでは、いわゆるワンルームマンションなどに適用できない。
【０００７】
本発明は、上記の及び他の課題を解決するためになされたもので、室内で飼育されている動物が容易にかつ安全に室外の環境を享受することを可能とする動物飼育空間構成体の提供を一つの目的としている。
【課題を解決するための手段】
【０００８】
上記の及び他の目的を達成するための、本発明の一態様は、住戸の外壁面に隣接して設けられる動物飼育空間構成体であって、一端部が開口されている中空筒状に形成された第１の構造体と、前記第１の構造体の前記一端部に、前記第１の構造体の長手方向と交差するように設けられた第２の構造体であって、当該第２の構造体の内部は前記第１の構造体の前記一端部を介して前記第１の構造体の内部と連通している第２の構造体と、前記第１の構造体の内部と前記住戸の室内空間とを連通させるべく前記第１の構造体に設けられている連通部とを備えている動物飼育空間構成体である。
【０００９】
また本発明の他の態様は、住戸の外壁面に隣接して設けられる動物飼育空間構成体であって、略Ｔ字状の平面形状を有する内部空間を画成する構造体と、前記内部空間と前記住戸の室内空間とを連通させる連通部とを備えている動物飼育空間構成体である。
【発明の効果】
【００１０】
本発明によれば、室内で飼育されている動物が容易にかつ安全に室外の環境を享受することが可能となる。
【図面の簡単な説明】
【００１１】
【図１】図１は、本発明の一実施形態に係る動物飼育ボックス１００の構成例を示す斜視図である。
【図２】図２は、動物飼育ボックス１００の平面図である。
【図３】図３は、動物飼育ボックス１００の側面図である。
【図４】図４は、動物飼育ボックス１００を集合住宅のベランダ天井下に設置した状態を例示する図である。
【発明を実施するための形態】
【００１２】
以下、本発明につき、その一実施形態に即して図面を用いて説明する。図１に、本発明の一実施形態による動物飼育ボックス１００の斜視図を、図２にその平面図を、図３にその側面図を例示している。
【００１３】
動物飼育ボックス１００は、角筒状に形成されている第１構造体１１０と、第１構造体１１０の一端部に直交するように設けられている、同じく角筒状の第２構造体１２０とを備えている。
【００１４】
第１構造体１１０は、それぞれ細長い矩形に形成されている上面板１１０ａ、側面板１１０ｃ、下面板１１０ｂを互いに固接してなる断面矩形の中空角筒状部材の一方の端部を、側端板１１０ｄによって閉止してなる。
【００１５】
一方の側面板１１０ｃには、本実施形態の動物飼育ボックス１００を設置する住戸の外壁に設けられた、当該住戸居室と連通している開口部と接続するための管状部１３０が設けられている。管状部１３０の内側にあたる側面板１１０ｃは除去されており、住戸居室と第１構造体１１０の内部空間とは、管状部１３０を介して連通しており、住戸居室で飼育されているペット（ここでは猫を想定する）が管状部１３０を通って第１構造体１１０の内部空間と往来できるようになっている。なお、管状部１３０は、第１構造体１１０の内部空間Ａと住戸居室の室内とを連通する構成となっていればよく、第１構造体１１０の端部開口に管状部１３０を取り付ける等の他の構成を採用してもよい。
【００１６】
また、第１構造体１１０の側面板１１０ｃには、開閉部を構成する略矩形の開閉扉１１５が、ヒンジ１１５ａによって側面板１１０ｃの一部を開閉可能とするように取り付けられている。この開閉扉１１５は、第１構造体１１０に入った猫等の動物になんらかの異変が生じたり、動物が進退きわまってしまったような場合に、飼い主が第１構造体１１０内部にアクセスすることができるようにする機能を提供するものである。図示を省略しているが、この開閉扉１１５には、常時は不用意に開かないように、側面板１１０ｃに対して固定可能とするラッチ等の係合部を設けることができる。また開閉扉１１５には開閉を容易とするためのつまみなどを適宜設けることができる。
【００１７】
なお、このような開閉扉１１５は、側面板１１０ｃのほか、必要に応じて上面板１１０ａ、下面板１１０ｂなど、所望の場所に設けて差し支えない。開閉扉１１５の形状寸法は、本実施形態の動物飼育ボックス１００を使用する動物の大きさ等に応じて適宜に決定することができる。また開閉扉１１５はヒンジ１１５ａにより枢動可能に取り付けるほか、スライド式とすることもできる。なお、この開閉扉１１５は、必要に応じて後出の第２構造体１２０にも同様に設けることができる（図１参照）。
【００１８】
第１構造体１１０の側端板１１０ｄから見て反対側の端部は開口しており、その開口部には、第１構造体１１０の長手方向とほぼ直交するように第２構造体１２０が取り付けられている。第２構造体１２０は、それぞれ略矩形に形成されている上面板１２０ａ、下面板１２０ｂ、側面板１２０ｄ、１２０ｅを互いに固接してなる断面矩形の中空角筒状部材であり、その両端部は側端板１２０ｃでそれぞれ閉止されている。第１構造体１１０と当接される側面板１２０ｅにおいて、第１構造体１１０の開口部にあたる部分は切り取られており、第１構造体１１０の内部空間Ａと第２構造体１２０の内部空間Ｂとは連通している。図１，２にも明らかに示されているように、第２構造体１２０の長さは、第１構造体１１０の幅よりも大となるように構成されている。言い換えれば、動物飼育ボックス１００は、第１構造体１１０を縦の要素、第２構造体１２０をその一端に直交する横の要素とする「Ｔ字状」に形成されていることになる。動物飼育ボックス１００をこのような構成としたのは、特に猫の場合、比較的狭い行き止まりの通路に入った場合、端まで行ってから後ずさりして戻ってくることが苦手であるという習性を考慮したためである。仮に第１構造体１１０のみの行き止まりの通路として構成すれば、猫がいったん入り込んでしまうと、苦手な後ずさりで戻らねばならないため、入ることを嫌がるようになってしまうことが考えられる。そこで本実施形態では第１構造体１１０の端部に幅広の空間を提供する第２の構造体１２０を設けている。このように構成することで、住戸居室から管状部１３０を通って第１構造体１１０に入りその端まで来た猫は、第１構造体１１０の幅よりも広い幅を持つ第２構造体１２０の内部空間Ｂで向きを変えて、後ずさりすることなく第１構造体１１０の中を戻ってくることができる。したがって、猫が動物飼育ボックス１００の利用を嫌がるような状況を避け、室内飼いの猫が外界の環境を享受するために動物飼育ボックス１００を利用するようになることがより期待できることとなる。
【００１９】
なお、本実施形態では、第１構造体１１０と第２構造体１２０とを組み合わせて略Ｔ字状の動物飼育ボックス１００を構成しているが、必ずしも本実施形態の構成に制約される必要はない。全体として略Ｔ字状の平面形状を有するように構成された動物飼育ボックス１００であれば、本発明の範囲に含まれる。
【００２０】
第１構造体１１０の上面板１１０ａ、側面板１１０ｃ、下面板１１０ｂ、及び側端板１１０ｄ、第２構造体１２０の上面板１２０ａ、下面板１２０ｂ、側面板１２０ｄ、１２０ｅ、及び側端板１２０ｃは、それぞれ透明アクリル板を所定の寸法に切断したものを用いる。これにより、動物飼育ボックス１００の内部空間Ａ，Ｂには外光が入り、動物にとって外界と近い環境が提供される。なお、上記した各部材は、アクリル板に限定されることはなく、他の光透過性を有する樹脂材料で形成してもよい。あるいは、動物の足などを傷つけないような、所要の強度を有する目の細かいネット状の部材によって形成してもよい。また全体ではなく一部のみが光透過性を有する部材で構成してもよい。
【００２１】
第１構造体１１０、第２構造体１２０を構成する各部材は、アクリル樹脂用の接着剤で接着すればよいが、ボルト・ナット等の他の締結具を用いて互いに固接するようにしてもよく特に制約はない。
【００２２】
本実施形態の動物飼育ボックス１００では、第１構造体１１０の下面板１１０ｂ、第２構造体１２０の下面板１２０ｂには、複数の小孔Ｈを設けて内部空間Ａ，Ｂと外界との間で外気が流通するようにしているが、小孔Ｈを設ける部位や設置数は適宜決定すればよく特に制約はない。強いて言えば、動物飼育ボックス１００の内部空間Ａ，Ｂを歩行する動物のじゃまにならない形状寸法、あるいは外界からハエなどの虫が入らないような寸法とすることが考えられる。
【００２３】
次に、図４を参照して、動物飼育ボックス１００の設置例について説明する。図４は、集合住宅の２階以上のある階の居室をベランダ側から見た図を示している。ベランダ２００には、居室の窓Ｗの上部に動物飼育ボックス１００が設置されている。
【００２４】
動物飼育ボックス１００は、支持枠２００ａ，２００ｂ，２００ｃによってベランダ２００の天井面から吊り下げられている。支持枠２００ａ，２００ｂが第１構造体１１０を支持し、支持枠２００ｃが第２構造体１２０を支持している。支持枠２００ａ，２００ｂ，２００ｃは、それぞれ例えば略Ｕ字状の金属製ブラケットとして形成することができる。支持枠２００ａ，２００ｂ，２００ｃの形状と寸法は、第１構造体１１０、第２構造体１２０の形状寸法にあわせて決定すればよい。また第１構造体１１０、第２構造体１２０の支持位置、支持箇所の数は、それぞれの寸法、重量を考慮して決定すればよい。
【００２５】
本発明の技術的範囲は上記の実施形態に限定されることはなく、他の変形例、応用例等も、特許請求の範囲に記載した事項の範囲内に含まれるものである。
【符号の説明】
【００２６】
１００  動物飼育ボックス
１１０  第１の構造体
１１５  開閉扉
１２０  第２の構造体
１３０  管状部
２００ａ，２００ｂ，２００ｃ  支持枠
Ｈ  孔
【図１】
2018161094.tif 000003
【図２】
2018161094.tif 000004
【図３】
2018161094.tif 000005
【図４】
2018161094.tif 000006